(57)【要約】  【課題】押しても引いても軽い力で開扉できる操作性の良いハンドルを備えた冷蔵庫を提供する。  【解決手段】軸板９、弾性部材１２、握り部７および２つの当接部１４Ａ、１４Ｂから構成されたハンドル６は、握り部７を手前に引いた際、握り部７は回転軸１３Ａを支点とし、位置規制部１０内において回転軸１３Ｂとともに回動し当接部１４Ｂが開口部フランジ１５を押すことで扉を軽く開くことができ、握り部７を後方に押した際は、握り部７は回転軸１３Ｂを支点とし位置規制部１０内において回転軸１３Ａとともに回動し当接部１４Ａが開口部フランジ１５を押すことで扉を軽く開くことができるので使い勝手を高めることができる。【選択図】図４
2006010124.tif 000002
【特許請求の範囲】
【請求項１】
前面開口部を有する断熱箱体と、前記開口部に開閉可能に取付けられた扉と、前記扉に設けた可動式のハンドルと、前記ハンドルの動作に連動して前面開口部のフランジに当接して前記扉をテコの原理で開放する当接部材とを有し、前記ハンドルには２つの回転軸を有し、ハンドルを引いた場合でも、押した場合でも前記当接部材の動作により扉を開放可能としたことを特徴とする冷蔵庫。
【請求項２】
当接部材を２つ備え、ハンドルを引いた場合、ハンドルの力点に近い側の回転軸を支点として、遠い側の回転軸に連接した当接部材が作用点となり、また、ハンドルを押した場合、ハンドルの力点に遠い側の回転軸を支点として、近い側の回転軸に連接した当接部材が作用点となり扉を開放することを特徴とする請求項１に記載の冷蔵庫。
【請求項３】
ハンドルに弾性部材を設け、前記弾性部材によりハンドルの回転軸の移動を自在にするとともに、ハンドルを通常時の位置に戻すことを特徴とする請求項１または２に記載の冷蔵庫。
【請求項４】
ハンドルの回転軸の軸位置規制部をそれぞれの回転軸に対応して設けることを特徴とする請求項１から３のいずれか一項に記載の冷蔵庫。
【請求項５】
軸位置規制部を緩衝部材で構成することを特徴とする請求項４に記載の冷蔵庫。
【請求項６】
ハンドルが扉周縁に設けた枠部材の正面から見た投影面内に配置されることを特徴とする請求項１から５のいずれか一項に記載の冷蔵庫。
【請求項７】
ハンドルが冷蔵庫扉の下部に設けられことを特徴とする請求項６に記載の冷蔵庫。
【請求項８】
ハンドルの握り部は下方に開放されたことを特徴とする請求項７に記載の冷蔵庫。
【請求項９】
床面よりハンドルの下部までの高さを５５０ｍｍ以上で１３００ｍｍ以下としたことを特徴とする請求項８に記載の冷蔵庫。
【請求項１０】
ハンドルの握り部を扉の略全幅あるいは全高に亘って設けたことを特徴とする請求項１から９のいずれか一項に記載の冷蔵庫。
【請求項１１】
ハンドルの握り部を扉の略全幅あるいは全高に亘って設け、ハンドルの両端部に支点となる回転軸および当接部材を備えたことを特徴とする請求項１から９のいずれか一項に記載の冷蔵庫。
【発明の詳細な説明】
【技術分野】
【０００１】
本発明は、扉の開扉力を軽減したハンドルを有する冷蔵庫に関するものである。
【背景技術】
【０００２】
従来、この種の開扉時の力を少なくして容易にするための開扉機構は、扉の前面上部にハンドルユニットを設け、ハンドルを手前に引くことによりレバーを移動させて、扉を前縁から引き剥がして開扉するといったものが提案されている（例えば、特許文献１参照）。
【０００３】
図６は、特許文献１に記載された従来の冷蔵庫扉開扉機構を示すものである。図６に示すようにハンドル１００と、軸回転部１０１と、レバー１０２と、１つの当接部１０３とコイルばね１０４から構成されておりハンドル１００を手前に引くと、ハンドル１００の回動でレバー１０２は前面開口部方向に動き、当接部１０３が冷蔵庫前面開口部を押すことにより扉を開くものである。
【特許文献１】特開２００１−５０６４５号公報
【発明の開示】
【発明が解決しようとする課題】
【０００４】
しかしながら、上記従来の構成では、ハンドルを手前に引くことでしか扉を開くことができなかったので、両手がふさがった状態では扉開閉ができないという課題を有していた。
【０００５】
本発明は、上記従来の課題を解決するもので、ハンドルを手前に引くだけではなく、後方に押すことによっても冷蔵庫扉を軽く開くことができる冷蔵庫扉のハンドルを提供することを目的とする。
【課題を解決するための手段】
【０００６】
上記従来の課題を解決するために、本発明の冷蔵庫は、前面開口部を有する断熱箱体と、前記開口部に開閉可能に取付けられた扉と、前記扉に設けた可動式のハンドルと、前記ハンドルの動作に連動して前面開口部のフランジに当接して前記扉をテコの原理で開放する当接部材とを有し、前記ハンドルには２つの回転軸を有し、ハンドルを引いた場合でも、押した場合でも前記当接部材の動作により扉を開放可能としたものである。
【０００７】
これによって、ハンドルを手前に引き扉を開くだけではなく、ハンドルを後方に押すことによっても扉を軽く開くことができる。
【発明の効果】
【０００８】
本発明の冷蔵庫は、ハンドルを手前に引き扉を開くだけではなく、ハンドルを後方に押すことによっても扉を軽く開くことができるため、両手がふさがった状態でも扉開閉が可能になり使い勝手の向上が図れる。
【発明を実施するための最良の形態】
【０００９】
請求項１に記載の発明は、前面開口部を有する断熱箱体と、前記開口部に開閉可能に取付けられた扉と、前記扉に設けた可動式のハンドルと、前記ハンドルの動作に連動して前面開口部のフランジに当接して前記扉をテコの原理で開放する当接部材とを有し、前記ハンドルには２つの回転軸を有し、ハンドルを引いた場合でも、押した場合でも前記当接部材の動作により扉を開放可能としたことにより、ハンドルを手前に引き扉を開くだけではなく、ハンドルを後方に押すことによっても扉を軽く開くことができるため、両手がふさがった状態でも扉開閉が可能になり使い勝手の向上が図れる。
【００１０】
請求項２に記載の発明は、請求項１の発明において、当接部材を２つ備え、ハンドルを引いた場合、ハンドルの力点に近い側の回転軸を支点として、遠い側の回転軸に連接した当接部材が作用点となり、また、ハンドルを押した場合、ハンドルの力点に遠い側の回転軸を支点として、近い側の回転軸に連接した当接部材が作用点となり扉を開放することにより、部品点数の少ない簡素な機構で前後両方向の動作が可能となる。
【００１１】
請求項３に記載の発明は、請求項１または２に記載の発明において、ハンドルに弾性部材を設け、前記弾性部材によりハンドルの回転軸の移動を自在にするとともに、ハンドルを通常時の位置に戻すことにより、使用時の動作開始位置が一定に保たれ、また回転軸の移動がスムーズに行われ、使い勝手が向上する。
【００１２】
請求項４に記載の発明は、請求項１から３のいずれか一項に記載の発明において、ハンドルの回転軸の軸位置規制部をそれぞれの回転軸に対応して設けることにより、前後両方向の動作に対応した当接部材の動作が簡素な構造で可能となる。
【００１３】
請求項５に記載の発明は、請求項４に記載の発明において、軸位置規制部を緩衝部材で構成することにより、扉開閉操作時、ハンドルの衝突音を防止することができる。
【００１４】
請求項６に記載の発明は、請求項１から５のいずれか一項に記載の発明において、ハンドルが扉周縁に設けた枠部材の正面から見た投影面内に配置されることにより、使用者の邪魔にならず、扉枠部材が面一で意匠的に見栄えをよくすることができる。
【００１５】
請求項７に記載の発明は、請求項６に記載の発明において、ハンドルが冷蔵庫扉の下部に設けられことにより、ハンドル収納のために扉表面に特別な凹陥部を形成する必要が無く、簡素で安価な構成でハンドルを扉に取付けることができる。
【００１６】
請求項８に記載の発明は、請求項７に記載の発明において、ハンドルの握り部は下方に開放されたことにより、使用者が自然な腕の動作でハンドルに指を掛けられ、扉を開きやすくできる。
【００１７】
請求項９に記載の発明は、請求項８に記載の発明において、床面よりハンドルの下部までの高さを５５０ｍｍ以上で１３００ｍｍ以下としたことにより、腕を肩の高さ以上に上げたり、腰をかがめたりして腕や腰に負担を掛けることなく立ち姿勢のままで扉を軽く開けることができる。
【００１８】
請求項１０に記載の発明は、請求項１から９のいずれか一項に記載の発明において、ハンドルの握り部を扉の略全幅あるいは全高に亘って設けたことにより、ハンドル操作の自由度が広がるとともに、ハンドルが握りやすくなることで扉を開きやすくできる。
【００１９】
請求項１１に記載の発明は、請求項１から９のいずれか一項に記載の発明において、ハンドルの握り部を扉の略全幅あるいは全高に亘って設け、ハンドルの両端部に支点となる回転軸および当接部材を備えたことにより、当接部材の作用点が両端２ヵ所となるためさらに軽い力で扉を開くことができる。
【００２０】
以下、本発明の実施の形態について、図面を参照しながら説明する。なお、この実施の形態によってこの発明が限定されるものではない。
【００２１】
（実施の形態１）
図１は、本発明の実施の形態１における冷蔵庫の斜視図を示すものである。図２は、同実施の形態１における冷蔵庫扉のハンドル部品分解時の斜視図を示すものである。図３は、同実施の形態１における冷蔵庫扉閉時のハンドルの要部平面図を示すものである。図４は、同実施の形態１におけるハンドル押時の要部平面図を示すものである。図５は、同実施の形態１におけるハンドル引時の要部平面図を示すものである。
【００２２】
図１において、冷蔵庫本体１は、前面開口部を有する断熱箱体に上段から冷蔵室１９、野菜室２０、冷凍室２１が備えられている。冷蔵室１９にはヒンジ式の開閉可能な冷蔵室扉２が設けられ、野菜室２０、冷凍室２１の前面には引出し式扉１６、１８が設けられている。
【００２３】
また、ハンドル６および握り部７は、冷蔵室１９、野菜室２０、冷凍室２１の扉に設けられ、冷蔵室扉２の下部、引出し式扉１６、１８の上部で、扉周縁に設けた枠部材３、１７の正面から見た投影面内に配置されており、扉を開く際ハンドル６を前後に可動するようになっている。
【００２４】
また、ハンドル６の握り部７は下方に開放されている。
【００２５】
また、床面よりハンドル６の下部までの高さを５５０ｍｍ以上で１３００ｍｍ以下としている。
【００２６】
次に、図２においてハンドル６の構成について説明する。
【００２７】
ハンドル６は、軸板９、位置規制部１０、取付け用ピン１１、弾性部材１２、握り部７、回転軸１３Ａ、１３Ｂ、当接部材１４Ａ、１４Ｂ、緩衝部材５からなり、ハンドル６の握り部７に対向した他端側に回転軸１３Ａ、１３Ｂを上下にそれぞれ備えている。そして、上方の回転軸１３Ａ、１３Ｂには当接部材１４Ａ、１４Ｂがそれぞれ連接されている。一方、下方の回転軸１３Ａ、１３Ｂは、緩衝部材５を介して軸板９に設けた２つの位置規制部１０の溝に挿入され、前記位置規制部１０の溝に沿って回転軸１３Ａ、１３Ｂは動作可能になっている。その際、回転軸１３Ａと１３Ｂの間に設けた取付け用ピン１１ａと軸板９に設けた２つの位置規制部１０の間に設けた取付け用ピン１１ｂとを弾性部材１２、たとえばコイルバネで位置決めし、ハンドル６の回転軸１３Ａ、１３Ｂの移動を自在にするとともに、ハンドル６の握り部７を通常時の位置に戻す作用を有している。そしてハンドル６の軸板９を扉周縁に設けた枠部材３の凹部に取付け固定する。
【００２８】
次に図３、図４、図５において、本発明による冷蔵庫扉のハンドル開閉操作について説明する。図３は通常時でのハンドル位置である。回転軸１３Ａおよび回転軸１３Ｂはいずれも弾性部材１２により位置規制部１０の溝の扉表面方向側面に当接し位置規制され、当接部材１４Ａ、１４Ｂはフランジ１５と当接することはない。
【００２９】
図４は握り部７を手前に引いた時のハンドル６の扉開閉動作を示す。握り部７を手前に引いた際、ハンドルの力点となる握り部７に近い側の回転軸１３Ａを支点とし、位置規制部１０内において回転軸１３Ｂとともに回動し当接部材１４Ｂが開口部フランジ１５を押すことで扉を軽く開くことができる。開放後は弾性部材１２により通常の位置に戻される。
【００３０】
図５は握り部７を後方に押した時のハンドル６の扉開閉動作を示す。握り部７を後方（冷蔵庫本体側）に押した際、ハンドルの力点となる握り部７に遠い側の回転軸１３Ｂを支点とし、位置規制部１０内において回転軸１３Ａとともに回動し当接部１４Ａが開口部フランジ１５を押すことで扉を軽く開くことができる。開放後は弾性部材１２により通常の位置に戻される。
【００３１】
以上、説明したように、本実施の形態では、ハンドル６には２つの回転軸１３Ａ、１３Ｂを有し、ハンドル６を引いた場合でも、押した場合でも２つの当接部材１４Ａ、１４Ｂの動作により扉を開放可能としたことにより、ハンドルを手前に引き扉を開くだけではなく、ハンドルを後方に押すことによっても扉を軽く開くことができるため、両手がふさがった状態でも扉開閉が可能になり使い勝手の向上が図れる。
【００３２】
また、ハンドル６は、軸板９、位置規制部１０、取付け用ピン１１、弾性部材１２、握り部７、回転軸１３Ａ、１３Ｂ、当接部材１４Ａ、１４Ｂから構成されたものであり、比較的部品点数の少ない簡素な機構で前後両方向の動作が可能となる。
【００３３】
また、軸板９と握り部７の回転軸側を弾性部材１２で接続しているので、回転軸の移動がスムーズに行われ、また、使用時の動作開始位置が一定に保たれるので使い勝手がさらに向上する。
【００３４】
また、ハンドル６の回転軸１３Ａ、１３Ｂの軸位置規制部１０をそれぞれの回転軸１３Ａ、１３Ｂに対応して設けることにより、ハンドル６の前後両方向の動作に対応した当接部材１４Ａ、１４Ｂの動作が簡素な構造で可能となる。
【００３５】
また、緩衝部材５を軸位置規制部１０に設けたので衝撃音を和らげることができる。なお、緩衝部材５を軸位置規制部１０に一体に構成してもよい。
【００３６】
また、ハンドル６が扉周縁に設けた枠部材３、１７の正面から見た投影面内に配置されることにより、使用者の邪魔にならず、扉枠部材が面一で意匠的に見栄えをよくすることができる。
【００３７】
また、ハンドル６が冷蔵室扉２の下部に設けられているので、ハンドル収納のために扉表面に特別な凹陥部を形成する必要が無く、簡素で安価な構成でハンドルを扉に取付けることができる。
【００３８】
また、ハンドル６の握り部７は下方に開放されているので、使用者が自然な腕の動作でハンドル６の握り部７に指を掛けられ、扉を開きやすくできる。
【００３９】
また、床面からハンドル６の下端部までの高さを５５０ｍｍ以上、１３００ｍｍ以下としたので、日本人の平均的な女性（身長１５７３ｍｍ）の肩の高さが１２６１ｍｍ（日本規格協会編「図説エルゴノミクス」１９９０年）であり、履き物の高さなどを考慮して１３００ｍｍ以下であれば、ほぼ使用者は肩より上に腕を上げることなくハンドルの操作が可能であり、腕にあまり負担をかけずに操作を行うことができる。また、５５０ｍｍ以上としたのは、使用者がほぼ腰をかがめず立ち姿勢でハンドルを操作することができるからである。本実施形態では冷蔵室１９の下端部、野菜室２０、冷凍室２１の上端部に設けられているため、自然な動作で使い易い高さ範囲内で開扉操作を行うことができる。
【００４０】
なお、本実施例ではハンドル６を冷蔵庫扉の端部１ヶ所に設けたもので説明したが、ハンドル６の握り部７を扉の略全幅あるいは全高に亘って設けてもよい。この場合、ハンドル操作の自由度が広がるとともに、ハンドルが握りやすくなることで扉を開きやすくできる。
【００４１】
また、ハンドル６の握り部７を扉の略全幅あるいは全高に亘って設け、ハンドルの両端部に支点となる回転軸１３Ａ、１３Ｂおよび当接部材当接部材１４Ａ、１４Ｂをそれぞれ備えた構造としてもよい。この場合、当接部材の作用点が両端２ヵ所となるためさらに軽い力で扉を開くことができる。
【産業上の利用可能性】
【００４２】
以上のように、本発明にかかる冷蔵庫は、ハンドルを押しても引いても扉を軽く開けることが可能となるので、家屋・建築物の回転扉や家具の引き出し扉、車両の扉等の用途にも適用できる。
【図面の簡単な説明】
【００４３】
【図１】本発明の実施の形態１における冷蔵庫の斜視図
【図２】同実施の形態１における冷蔵庫扉のハンドル部品分解時の斜視図
【図３】同実施の形態１における冷蔵庫扉閉時のハンドルの要部平面図
【図４】同実施の形態１におけるハンドル押時の要部平面図
【図５】同実施の形態１におけるハンドル引時の要部平面図
【図６】従来例の冷蔵庫扉のハンドルの要部横断面図
【符号の説明】
【００４４】
１    冷蔵庫本体
２    冷蔵室扉
３、１７  扉枠部材
５    緩衝部材
６    ハンドル
７    握り部
９    軸板
１０  軸位置規制部
１１  取付け用ピン
１２  弾性部材
１３Ａ、１３Ｂ  回転軸
１４Ａ、１４Ｂ  当接部
１５  開口部フランジ
１６、１８  引き出し式扉
１９  冷蔵室
２０  野菜室
２１  冷凍室
【図１】
2006010124.tif 000003
【図２】
2006010124.tif 000004
【図３】
2006010124.tif 000005
【図４】
2006010124.tif 000006
【図５】
2006010124.tif 000007
【図６】
2006010124.tif 000008